(57)【要約】【課題】球を適切に払い出されるようにする。【解決手段】ａ図の遊技機枠２１では、前扉２４が閉じられた場合、前誘導樋２８の出口は前扉２４に設けられた前払出通路３２の上部に配置され、収容部５の前部の球出口６から払い出された球が前誘導樋２８および前払出通路３２を経由することによって遊技機枠２１の前部に誘導され、ｂ図の遊技機枠２１では、球を下方に誘導する後払出通路４４が球出口６の下部に配置されかつ可動枠２３の後部に固定され、球出口６から払い出された球が後払出通路４４を経由することによって遊技機枠２１の後部に誘導されるので、球払出装置１を交換することなくタンク２から払い出される球を遊技機枠２１の前部に誘導する構造および後部に誘導する構造に共用することができる。【選択図】図１
2008229216.tif 000002
【特許請求の範囲】
【請求項１】
タンクには球貯蔵室が設けられ、球貯蔵室の底部には球を球貯蔵室から収容部に落下させる球入口と球入口から下方に窪む空間を形成する収容部とが設けられ、球貯蔵室の球と接触する底面は球貯蔵室に取り込まれた球を球入口に向けて左から右または右から左に流下させる斜面を構成し、収容部の前部には球出口が設けられ、払出体は直線状の丸棒により構成され払出軸と払出軸の軸心と平行な方向に球を１個ずつ分離する間隔で払出軸の外周面から径方向外側に螺旋形状に突出した螺旋体とを備え、払出体が払出軸の軸心を前後方向に延びるように向けて収容部に回転可能に配置されたことによって、収容部の内部には収容部と払出軸と螺旋体とで囲まれて球を１個ずつ取り込む隙間が形成され、タンクの後部の外側には払出体に連結された払出モータが設けられ、払出モータが払出体を払出軸の軸心を中心とする円周の一方向に回転するように駆動することによって、払出体の螺旋体が球貯蔵室から上記隙間に取り込まれた球を１個ずつ分離しながら球出口の方に移動させることを特徴とする遊技機の球払出装置。
【請求項２】
払出モータがタンクの外側に設けられたことを特徴とする請求項１記載の遊技機の球払出装置。
【発明の詳細な説明】
【技術分野】
【０００１】
本発明は、球が適切に払い出される遊技機の球払出装置に関する。
【背景技術】
【０００２】
球を遊技媒体として使用するパチンコ遊技機などの遊技機の球払出装置は、賞球または貸球としての球を遊技機の後部から前部に払い出すものである。図１０は、特許文献１で開示されたパチンコ遊技機の球払出装置の断面を示す。図１０において、タンク２の底部には、球入口４および収容部５が設けられる。収容部５の底部には、球出口６が設けられる。収容部５には、螺旋構造の払出体８が収容される。タンク２の外面には、払出モータ９が固定される。払出モータ９の出力軸が払出体８に連結される。タンク２の球と接触する底面１４は、球を矢印Ｘ１で示すように球入口４に向けて流下させる斜面を構成する。そして、払出体８が払出モータ９によって一方向に回転されると、球が矢印Ｘ３で示すようにタンク２から球入口４と収容部５および球出口６を経由して払い出される。しかしながら、底面１４が球を球入口４に向けて流下させる方向と払出体８が球を球出口６に向けて移動させる方向とが互いに逆の向きであることから、払出体８に負担がかかり過ぎ、球詰まりを発生しやすいという欠点がある。
【特許文献１】特開平８−１０４１５号公報
【発明の開示】
【発明が解決しようとする課題】
【０００３】
発明が解決しようとする問題点は、球詰まりが発生しやすいという点である。
【課題を解決するための手段】
【０００４】
本発明に係る遊技機の球払出装置は、タンクには球貯蔵室が設けられ、球貯蔵室の底部には球を球貯蔵室から収容部に落下させる球入口と球入口から下方に窪む空間を形成する収容部とが設けられ、球貯蔵室の球と接触する底面は球貯蔵室に取り込まれた球を球入口に向けて左から右または右から左に流下させる斜面を構成し、収容部の前部には球出口が設けられ、払出体は直線状の丸棒により構成され払出軸と払出軸の軸心と平行な方向に球を１個ずつ分離する間隔で払出軸の外周面から径方向外側に螺旋形状に突出した螺旋体とを備え、払出体が払出軸の軸心を前後方向に延びるように向けて収容部に回転可能に配置されたことによって、収容部の内部には収容部と払出軸と螺旋体とで囲まれて球を１個ずつ取り込む隙間が形成され、タンクの後部の外側には払出体に連結された払出モータが設けられ、払出モータが払出体を払出軸の軸心を中心とする円周の一方向に回転するように駆動することによって、払出体の螺旋体が球貯蔵室から上記隙間に取り込まれた球を１個ずつ分離しながら球出口の方に移動させることを最も主要な特徴とする。払出モータがタンクの外側に設けられてもよい。
【発明の効果】
【０００５】
本発明に係る遊技機の球払出装置は、タンクの球を貯蔵する球貯蔵室の前後幅が払出機構の球入口に向けて絞られ、球貯蔵室の底面が球を球入口に向けて流下させる斜面を構成し、払出体が球を収容部の前部の球出口に向けて移動するように構成されたことによって、払出体が球貯蔵室の球から受ける球圧の方向と球を移動する方向とが互いに交差する方向となり、払出モータの負担が軽減し、球詰まりが発生しなくなり、球が適切に払い出されるという利点がある。払出モータがタンクの外側に設けられれば、払出モータをタンクから後方に取り外せるので、球貯蔵室の内部から球や異物を除去する保守作業が容易であるという利点がある。
【発明を実施するための最良の形態】
【０００６】
図１乃至図８は、発明を実施するための最良の形態である。図１は、遊技機枠２１に取り付けられた球払出装置１の縦断面を示す。図２は、遊技機枠２１に取り付けられた球払出装置１の平面を示す。図３は、球払出装置１から払い出された球を遊技機枠２１の前部に誘導する構造のパチンコ遊技機を示す。図４は、図３のパチンコ遊技機の正面を示す。図５は、図３のパチンコ遊技機の縦断面を示す。図６は、球払出装置１から払い出された球を遊技機枠２１の後部に誘導する構造のパチンコ遊技機を示す。図７は、図６のパチンコ遊技機の背面を示す。図８は、図６のパチンコ遊技機の縦断面を示す。本明細書において、「前」、「後」、「左」、「右」、「上」、「下」の方向は、図３または図６の状態に遊技機枠２１を置いて矢印Ｓで示す前側から見た場合に特定される方向である。
【０００７】
図１を参照し、遊技機の球払出装置１について説明する。図１のａ図およびｂ図において、球払出装置１は、タンク２に払出機構３を備える。払出機構３は、球入口４、収容部５、球出口６、庇７、払出体８、払出モータ９、筐体１０を備える。球入口４は、タンク２の底部に上下方向への貫通孔として設けられる。収容部５は、球入口４の周縁部から下方への窪みとして、タンク２の底部から下方に突出する。球出口６は、収容部５の前部における底部に上下方向への貫通孔として形成される。庇７は、球出口６の真上に位置し、球出口６を塞ぐように、タンク２の底部に設けられる。庇７の上面は、球をタンク２の前壁から球入口４に向けて流下させる斜面を構成する。
【０００８】
払出体８は、収容部５に収容され、払出軸１１および螺旋体１２を備えた螺旋状である。払出軸１１は、前後方向に直線的に延びる丸棒により構成される。螺旋体１２は、払出軸１１の前後方向に延びる軸心と平行な方向に球を１個ずつ分離する間隔で、払出軸１１の外周面から径方向外側に螺旋形状に突出する。払出モータ９は、筐体１０に収容され、筐体１０は、タンク２の後壁の外面に固定される。払出モータ９のモータケースは、タンク２または筐体１０に固定される。払出モータ９の出力軸には、払出体８が連結される。球出口６には、球検出器１３が設けられる。
【０００９】
そして、タンク２が可動枠２３の後部に取り付けられ、払出機構３が停止した状態において、遊技機設置構造体の補給機構から排出されたパチンコ球と呼ばれる球がタンク２に上方から貯蔵される。球がタンク２に貯蔵された球は、タンク２から球入口４を経由して収容部５と払出体８との隙間に１個ずつ分離されて取り込まれる。その状態において、払出モータ９が払出体８を払出軸１１の周方向の一方向（図２のＷで示す方向参照）に回転するように駆動するのに伴い、螺旋体１２が収容部５と払出体８との隙間に１個ずつ分離されて取り込まれた球を１個ずつ分離しつつ図１のａ図に矢印Ｘ２で示す後から前の方に移動する。前の方に移動した球は、払出体８の駆動に伴い、庇７の下に潜り込んで球出口６から下方に払い出される。球検出器１３は、球出口６から払い出される球を検出するごとに、球検出信号を主制御装置４７（図７参照）に出力する。
【００１０】
球出口６が収容部５の前部に設けられたので、球検出器１３より下方に通過した球を、図１のａ図に示すように遊技機枠２１の前部に誘導する構造、または、図１のｂ図に示すように遊技機枠２１の後部に誘導する構造に、球払出装置１を交換することなく共用することができるという利点がある。つまり、図１のａ図では、球を前の方に誘導する前誘導樋２８が球出口６または可動枠２３に固定される。遊技機枠２１において、前扉２４が閉じられた場合、前誘導樋２８の出口は前扉２４に設けられた前払出通路３２の上部に配置される。よって、球出口６から払い出された球は、前誘導樋２８を経由して前払出通路３２に取り込まれる。図１のｂ図では、球を下方に誘導する後払出通路４４が球出口６の下部に配置される。後払出通路４４は、可動枠２３の後部に固定される。よって、球出口６から払い出された球は、後払出通路４４に取り込まれる。払出モータ９を内蔵した筐体１０がタンク２の外側に設けられたので、筐体１０をタンク２から後方に取り外せるので、球貯蔵室の内部から球や異物を除去する保守作業が容易であるという利点がある。払出モータ９を筐体１０に内蔵することなく、払出モータ９をタンク２の外側に設けても、払出モータ９をタンク２から後方に取り外せるので、球貯蔵室の内部から球や異物を除去する保守作業が容易であるという利点がある。
【００１１】
図２を参照し、タンク２について説明する。タンク２は、上方に開口した箱形の球貯蔵室を内部に構成する。タンク２の球貯蔵室は、前壁から後方への寸法である広い前後幅をＬ１とし、払出機構３の配置される払出配置部分の前壁から後方への寸法である狭い前後幅をＬ２とすると、Ｌ１＞Ｌ２に構成される。タンク２の底面１４は、球を矢印Ｘ１で示す方向たる左から右に向けて流下させるというように、球を球入口４に向けて流下させる斜面を構成する。広い前後幅Ｌ１の部分における後壁と狭い前後幅Ｌ２の部分における後壁とが、斜壁１５で互いに接続される。つまり、タンク２の球を貯蔵する球貯蔵室の前後幅が払出機構３の球入口４に向けて絞られたので、タンク２の底面１４を流下する球が多量に球入口４に集中することがなく、タンク２の底面１４を流下する球の量が球入口４に向けて徐々に減少し、払出体８に負担がかかり過ぎることがなく、球詰まりも発生しにくく、払出体８が球を円滑に払い出すことができるという利点がある。
【００１２】
図３を参照し、球払出装置１から払い出された球を遊技機枠２１の前部に誘導する構造について、パチンコ遊技機を例として説明する。パチンコ遊技機は、遊技機枠２１の内部に遊技盤３７（図５参照）を交換可能に取り付ける形態である。遊技機枠２１は、固定枠２２の前部に可動枠２３を開閉可能に備え、可動枠２３の前部に前扉２４を開閉可能に備える。固定枠２２は、遊技機設置設備に固定される。遊技機設置設備は、パチンコ遊技機を設置する遊技店の島と呼ばれる設備である。可動枠２３は、遊技盤３７や図外の制御装置など遊技に必要な部品を取り付ける前枠とも呼ばれ、左側に位置するヒンジ２５を中心とし、固定枠２２の前で前方に開かれかつ後方に閉じられるように、片開き可能であって、遊技盤３７を装着するための盤設置構造体２６の前面に発射機構２７を備える。発射機構２７は、前扉２４が閉じられて可動枠２３に開閉不能に支持された場合、前扉２４で覆い隠される。可動枠２３には、球払出装置１、前誘導樋２８、図外の施錠装置が設けられる。前誘導樋２８の前部は、盤設置構造体２６を後から前に貫通する。
【００１３】
前扉２４は、左側に位置するヒンジ２９を中心とし、可動枠２３の前で前方に開かれかつ後方に閉じられるように、片開き可能である。前扉２４には、窓３０、前面パネル３１、前払出通路３２、受皿３３、発射操作機構３４、供給口３５が設けられる。窓３０は、前後方向への貫通孔として構成される。前面パネル３１は、窓３０を後から塞ぐ大きさのガラスまたは合成樹脂からなる光透過性の有る無色な板状に構成される。前扉２４が閉じられて可動枠２３に開閉不能に支持された場合、前誘導樋２８の前部が前払出通路３２の上部に配置される。
【００１４】
図４を参照し、図３のパチンコ遊技機を前から見た場合について説明する。前払出通路３２が、窓３０よりも右に配置される。例えば、前払出通路３２の前部が透明な合成樹脂により構成され、前扉２４には縦長孔３６が前後方向への貫通孔として形成され、前払出通路３２の前部が前扉２４の後から縦長孔３６に配置される。または、透明な合成樹脂により構成された前払出通路３２の前部が前扉２４の後部に配置され、前扉２４の前払出通路３２の前部と対応する部分には、複数の貫通孔が縦方向に分かれて設けられる。または、透明な合成樹脂により構成された前払出通路３２の前部が前扉２４の後部に配置され、前扉２４には縦長孔３６が形成され、縦長孔３６には透明な合成樹脂により構成された蓋が設けられる。これらによって、前払出通路３２を上から下に通過する球が、前扉２４の前から見えるようになる。
【００１５】
図５を参照し、図３のパチンコ遊技機の内部について説明する。遊技盤３７が可動枠２３の盤設置構造体２６に装着され、可動枠２３が閉じられて固定枠２２に開閉不能に支持され、前扉２４が閉じられて可動枠２３に開閉不能に支持される。前面パネル３１と遊技盤３７の前面との間におけるガイドレール３８で囲まれた部分が、発射機構２７（図３参照）から発射された球の飛び交う遊技領域３９として形成される。ガイドレール３８は、前扉２４または前面パネル３１または遊技盤３７に設けられる。遊技領域３９は、遊技機枠２１の前から窓３０および前面パネル３１を通して視認可能になる。そして、パチンコ球と呼ばれる球が受皿３３に入れられ、発射操作機構３４が人為的に操作されると、図３に示す発射機構２７が受皿３３から供給口３５を経由して発射機構２７に取り込まれた球を発射操作機構３４の操作量に応じた発射力で１個ずつ遊技領域３９の上部に向けて発射する。遊技領域３９の上部に到達した球が、遊技領域３９を流下する過程において、遊技領域３９における入賞部品に入賞すると、球払出装置１の払出機構３が遊技者への賞球としての球を払い出す。払出機構３から払い出された球は、前誘導樋２８から前払出通路３２を経由して受皿３３に払い出される。
【００１６】
図６を参照し、球払出装置１から払い出された球を遊技機枠２１の後部に誘導する構造について、パチンコ遊技機を例として説明する。図６のパチンコ遊技機の遊技機枠２１が、図２のパチンコ遊技機の遊技機枠２１と異なる構造は、次のとおりである。図６において、前扉２４が上扉４１と下扉４２とに分別構成される。上扉４１と下扉４２とが左側に位置するヒンジ２９を中心として可動枠２３の前で前方に開かれかつ後方に閉じられるように互いに別々に片開き可能である。上扉４１および下扉４２には図３の前払出通路３２が設けられていない。可動枠２３には前誘導樋２８が設けられていない。上扉４１には窓３０および前面パネル３１が設けられる。下扉４２には受皿３３と発射操作機構３４と供給口３５および球入口４３が設けられる。可動枠２３には後払出通路４４および受樋４５が設けられる。受樋４５は、後払出通路４４から排出された球を盤設置構造体２６の前に排出する。下扉４２が閉じられた場合、球入口４３と受樋４５とが互いに接続される。
【００１７】
図７を参照し、図６のパチンコ遊技機を後から見た場合について説明する。後払出通路４４が、中央開口４６よりも右に配置されかつ盤設置構造体２６に固定される。これによって、後払出通路４４を上から下に通過する球が、遊技機枠２１の前から見えないようになっている。中央開口４６は盤設置構造体２６に前後方向への貫通孔として設けられる。中央開口４６には、主制御装置４７が配置される。主制御装置４７は、遊技盤３７（図８参照）の後部に設けられる。盤設置構造体２６の後面には、発射払出制御装置４８が設けられる。
【００１８】
図８を参照し、図６のパチンコ遊技機の内部について説明する。払出機構３から払い出された球は、後払出通路４４から受樋４５を経由して受皿３３に払い出される。
【産業上の利用可能性】
【００１９】
図２において、タンク２の底部に図外の抜取機構を設け、抜取機構の扉が人為的に開操作されると、タンク２から球を下方に抜き取れるようにしてもよい。斜壁１５の部分に図外の球切検出機構を設けてもよい。この場合、斜壁１５を図２に仮想線Ｌ３で示すような縦壁と横壁とに変更し、タンク２の前壁と平行する横壁に球切検出機構を設け、タンク２に貯蔵された球が少なくなった場合に、球切検出機構が貯蔵量の減少した信号としての例えば球切信号を発射払出制御装置４８（図７参照）に出力するようにしてもよい。このように球切検出機構をタンク２に設ければ、タンク２の底面１４を流下する球が球切検出機構で球入口４に向けて斜めに誘導されるという利点がある。発射払出制御装置４８は、球切検出機構から球切信号を受信すると、球の払出を停止するような払出中断処理を実行しかつ遊技店の営業を管理する図外のホールコンピュータに球切信号を出力する。ホールコンピュータは発射払出制御装置４８から球切信号を受信すると、補給機構を制御し、補給機構が例えば５００個などの規定数の球をタンク２に供給する。
【００２０】
図２において、球出口６は、左右に分かれることなく、互いに左右で連接された１つの孔として構成されてもよい。払出機構３がタンク２の左端部に設けられ、タンク２の底面１４が球を右から左に向けて流下させるというように、球を球入口４に向けて流下させる斜面を構成してもよい。
【００２１】
図５において、前扉２４を図６のように上扉４１と下扉４２とに分別構成してもよい。この場合、図５における前払出通路３２は、上扉４１に固定される部分と、下扉４２に固定される部分とに分けられる。
【００２２】
図９は、球払出装置１から払い出された球を遊技機枠２１の前部に誘導する構造のパチンコ遊技機に係る異なる形態を示す。図９において、前扉２４が上扉４１と下扉４２とに分別構成される。上扉４１の前には、前払出通路３２が配置されかつ上扉４１に固定される。前払出通路３２の下部が、受皿３３よりも上方に離れて配置される。これによって、上扉４１が前に開放されても、前払出通路３２が受皿３３に干渉しない。前払出通路３２の下端の球出口は、受皿３３に球を排出するように、受皿３３に向けられる。前払出通路３２の上部は、上扉４１を前後方向に貫通する。前払出通路３２の上扉４１よりも後に配置された上端部は、前誘導樋２８から排出される球を受けるように、前誘導樋２８の下部に配置される。これによって、上扉４１が前に開放されても、前払出通路３２が前誘導樋２８に干渉しない。前払出通路３２の内部を通過する球が前払出通路３２の前から見えるように、前払出通路３２は例えば光透過性を有する合成樹脂により構成される。
【００２３】
遊技機はパチンコ遊技機に限定されるものではなくスロットマシンでもよい。つまり、図５の遊技盤３７を図柄表示器に置換し、図３の発射操作機構３４を球取込操作機構に置換し、図３の発射機構２７を球取込機構に置換し、遊技開始操作機構および図柄停止操作機構を図３の前扉２４または図６の下扉４２または受皿３３に設ければ、球払出装置１はスロットマシンにも適用できる。
【図面の簡単な説明】
【００２４】
【図１】遊技機枠に取り付けられた球払出装置の縦断面図（最良の形態）。
【図２】遊技機枠に取り付けられた球払出装置の平面図（最良の形態）。
【図３】球払出装置から払い出された球を遊技機枠の前部に誘導する構造のパチンコ遊技機の斜視図（最良の形態）。
【図４】図３のパチンコ遊技機の正面図（最良の形態）。
【図５】図３のパチンコ遊技機の縦断面図（最良の形態）。
【図６】球払出装置から払い出された球を遊技機枠の後部に誘導する構造のパチンコ遊技機の斜視図（最良の形態）。
【図７】図６のパチンコ遊技機の背面図（最良の形態）。
【図８】図６のパチンコ遊技機の縦断面図（最良の形態）。
【図９】球払出装置から払い出された球を遊技機枠の前部に誘導する構造のパチンコ遊技機の縦断面図（異なる形態）。
【図１０】ａ図は遊技機の球払出装置の平面図、ｂ図はａ図のＢ−Ｂ線断面図（従来）。
【符号の説明】
【００２５】
１は球払出装置、２はタンク、３は払出機構、４は球入口、５は収容部、６は球出口、７は庇、８は払出体、９は払出モータ、１０は筐体、１１は払出軸、１２は螺旋体、１３は球検出器、１４は底面、１５は斜壁、１６乃至２０は欠番、２１は遊技機枠、２２は固定枠、２３は可動枠、２４は前扉、２５はヒンジ、２６は盤設置構造体、２７は発射機構、２８は前誘導樋、２９はヒンジ、３０は窓、３１は前面パネル、３２は前払出通路、３３は受皿、３４は発射操作機構、３５は供給口、３６は縦長孔、３７は遊技盤、３８はガイドレール、３９は遊技領域、４０は欠番、４１は上扉、４２は下扉、４３は球入口、４４は後払出通路、４５は受樋、４６は中央開口、４７は主制御装置、４８は発射払出制御装置、Ｌ１は広い前後幅、Ｌ２は狭い前後幅。
【図１】
2008229216.tif 000003
【図２】
2008229216.tif 000004
【図３】
2008229216.tif 000005
【図４】
2008229216.tif 000006
【図５】
2008229216.tif 000007
【図６】
2008229216.tif 000008
【図７】
2008229216.tif 000009
【図８】
2008229216.tif 000010
【図９】
2008229216.tif 000011
【図１０】
2008229216.tif 000012